(57)【要約】      （修正有）【課題】暖簾や遮光カーテン、シートの抑え、置物、単なる重しなど多様な用途に対応可能で、取り付け部材を固定したままでも荷崩れすることなく積み重ねて梱包、保管、陳列が可能な万能ウエイトを提供する。【解決手段】底面３を設置面とする成形ブロック１の上面２に凹部４を設けて上面２からの立ち下がり部４１を面取り成形し、凹部４の中に取り付け部材５を固定するとともに凹部４から下方へ貫通する孔６を設ける。また、底面３に底面凹部７を設けて、取り付け部材５が収納されるようにする。取り付け部材が邪魔にならず、積み重ねて保管、陳列、箱に梱包することができ、暖簾や遮光カーテン、シートの抑え、置物、単なる重しなど多様な用途に対応できる。【選択図】図２
0003183234.tif 000002
【実用新案登録請求の範囲】
【請求項１】
底面を設置面とする成形ブロックの上面に凹部を設けて前記上面からの立ち下がり部を面取り成形し、前記凹部の中に取り付け部材が埋め込み固着されるとともに前記凹部から下方へ貫通する孔を設けたことを特徴とする万能ウエイト。
【請求項２】
底面を設置面とする成形ブロックの上面に凹部を設けて前記上面からの立ち下がり部を面取り成形し、前記凹部の中にナットが埋め込み固着され該ナットに取り付け部材が螺合されるとともに前記凹部から下方へ貫通する孔を設けたことを特徴とする万能ウエイト。
【請求項３】
前記凹部は、深さを前記取り付け部材の上端までの高さより大きくしたことを特徴とする請求項１乃至２のいずれかに記載の万能ウエイト。
【請求項４】
前記成形ブロックは、前記上面を前記底面より小さくして前記底面に前記上面を含む頂部が嵌合する凹部を設けたことを特徴とする請求項１乃至３のいずれかに記載の万能ウエイト。
【請求項５】
底面を設置面とする成形ブロックの上面に取り付け部材を固定するとともに、前記取り付け部材を固定した下方の前記底面に凹部を設け、前記凹部の深さを前記取り付け部材の高さより大きくしたことを特徴とする万能ウエイト。
【請求項６】
前記取り付け部材は、少なくともフック又は把手、中空パイプのいずれかを有することを特徴とする請求項１乃至５のいずれかに記載の万能ウエイト。
【考案の詳細な説明】
【技術分野】
【０００１】
本考案は、暖簾や遮光カーテン、シートなどの押さえ、置物、竿を立てる支持台などに使用可能な万能ウエイトに関する。
【背景技術】
【０００２】
従来より、看板や柵、旗竿などの支持装置として種々のものが提案されている。例えば立て看板や柵、標識類の固定を目的とするものには、コンクリート又は合成樹脂、あるいは鋳物で成形した重石本体に差し込み穴を設け、工事用の立て看板や柵、標識類を倒れないように設置する固定重石が提案されている（例えば、特許文献１参照）。
【０００３】
また、雪庇防止体や看板などの建築物上面部に立設状態に設置する立設設置体に、直接又は支持部を介して設けられる接地体と、この接地体上に載置される重し体とからなる立設設置体支持装置が提案されている（例えば、特許文献２参照）。
【０００４】
さらには、旗やパラソル、看板などを取り付けた竿を起立するためのものとして、台座部と旗竿嵌入支柱部からなる支持体および、２個のコンクリートブロックの組み合わせで構成し、台座部の中央に起立した旗竿嵌入支柱部に旗竿を取り付けてソケットにより締め付けるようにした竿の起立装置が提案されている（例えば、特許文献３参照）。
【０００５】
これらは、それぞれ支持する対象に応じて特有の構成のものとして提案され用いられている。しかし、上記従来のものは、例えば店舗において、暖簾や遮光カーテンの抑えとして、下端を重しに縛り付けて張るような場合に、その重しとしてそのままでは使用できない。
【０００６】
そこで、出願人は、種々の用途に簡便に対応できるものとして、底面を設置面とするブロックの上面にネジ穴部を有する万能ウエイト本体と、先端にネジ部を有し前記ネジ穴部に取り外し可能に螺合する取り付け部材からなる万能ウエイトセットを提案した（例えば、特許文献４参照）。
【先行技術文献】
【特許文献】
【０００７】
【特許文献１】特開２００３−２７４３６号公報
【特許文献２】特開２００９−１３３１６０号公報
【特許文献３】特開２０１２−２７２８４号公報
【特許文献４】実用新案登録第３１７６８１１号公報
【考案の概要】
【考案が解決しようとする課題】
【０００８】
しかし、上記従来の万能ウエイトセットは、ブロックの上面のネジ穴部に取り付け部材を取り外し可能に螺合するものであるが、取り付け部材を取り外すと取り付け部材が所在不明になり紛失する事態が心配される。そこで、取り付け部材を取り外さず螺合したままにすると、例えば商品として保管、陳列、箱に梱包する場合に積み重ねることができない。そのため、並べて梱包、保管、陳列することになり、それだけスペースが必要になり、無駄なスペースが多くなるという問題がある。
【０００９】
本考案は、上記課題を解決するものであって、暖簾や遮光カーテン、シートの抑え、置物、単なる重しなど多様な用途に対応可能で、取り付け部材を固定したままでも積み重ね
荷崩れすることなく安定して梱包、保管、陳列が可能な万能ウエイトを提供するものである。
【課題を解決するための手段】
【００１０】
そのために本考案に係る万能ウエイトは、底面を設置面とする成形ブロックの上面に凹部を設けて前記上面からの立ち下がり部を面取り成形し、前記凹部の中に取り付け部材が埋め込み固着されるとともに前記凹部から下方へ貫通する孔を設けたことを特徴とし、底面を設置面とする成形ブロックの上面に凹部を設けて前記上面からの立ち下がり部を面取り成形し、前記凹部の中にナットが埋め込み固着され該ナットに取り付け部材が螺合されるとともに前記凹部から下方へ貫通する孔を設けたことを特徴とする。
【００１１】
前記凹部は、深さを前記取り付け部材の上端までの高さより大きくしたことを特徴とし、前記成形ブロックは、前記上面を前記底面より小さくして前記底面に前記上面を含む頂部が嵌合する凹部を設けたことを特徴とする。
【００１２】
また、底面を設置面とする成形ブロックの上面に取り付け部材を固定するとともに、前記取り付け部材を固定した下方の前記底面に凹部を設け、前記凹部の深さを前記取り付け部材の高さより大きくしたことを特徴とし、前記取り付け部材は、少なくともフック又は把手、中空パイプのいずれかを有することを特徴とする。
【考案の効果】
【００１３】
本考案によれば、取り付け部材が上面に突出することなく、邪魔にならず、積み重ね荷崩れすることなく安定して保管、陳列、箱に梱包することができ、無駄なスペースを減らすことができる。しかも、取り付け部材で支持された紐などが凹部の立ち下がり部で擦れるようなことがあっても、面取り成形により紐などが破損し擦り切れるのを防ぐことができる。また、屋外に雨ざらしにしても貫通孔から排水され雨水が凹部に溜まらないようにすることができる。
【００１４】
また、底面を設置面とする成形ブロックの上面に取り付け部材を固定するとともに、取り付け部材を固定した下方の底面に凹部を設け、凹部の深さを取り付け部材の高さより大きくしたことにより、取り付け部材が上面に突出しても、邪魔にならず、積み重ねて保管、陳列、箱に梱包することができる。
【００１５】
取り付け部材として、丸いフック形や逆三角形の把手形だけでなく、フ字形やＴ字形、リング状その他の形状のものを採用し、また、凹部の中に埋め込み固着するだけでなく、埋め込み固着されたナットに螺合されるようにすることにより、取り付け部材を使用目的に応じて選択、交換可能にすることができる。成形ブロックとして、コンクリートや、合成樹脂、鋳物、レンガ、セラミックなどを材料とすることにより、動物（蛙、熊、パンダ、犬、猫など）、鳥（梟など）、小人、ダルマ、七福神その他の各種のキャラクタを象ったものや、さらにはカボチャや果物、その他の植物を象ったものとすることができ、見栄えよく質感のある置物としても使用することができる。
【００１６】
したがって、暖簾や遮光カーテン、シートの抑え、置物、単なる重しなど使用目的や使用場所に応じて多様な用途に対応可能になる。また、成形ブロックとして、上面を底面より小さくして底面に上面を含む頂部が嵌合する凹部を設けることにより、積み重ねて保管、陳列、箱に梱包しても、荷崩れすることなく安定性を保つことができる。
【図面の簡単な説明】
【００１７】
【図１】本考案に係る万能ウエイトの実施形態を説明する図である。
【図２】本考案に係る万能ウエイトの他の実施形態を説明する断面図である。
【図３】本考案に係る万能ウエイトの他の実施形態を説明する断面図である。
【図４】本考案に係る万能ウエイトの取り付け部材の実施形態を説明する図である。
【図５】本考案に係る万能ウエイトの取り付け部材の他の実施形態を説明する図である。
【考案を実施するための形態】
【００１８】
以下、本考案の実施形態を図面を参照しつつ説明する。図１は本考案に係る万能ウエイトの実施形態を説明する図、図２、図３は本考案に係る万能ウエイトの他の実施形態を説明する断面図である。図中、１、１′は万能ウエイト本体、２は上面、３は底面、４は凹部、５は取り付け部材、６は貫通孔、７は底面凹部、８は段差部、９は傾斜部、４１は立ち下がり部を示す。
【００１９】
図１において、万能ウエイト本体１は、例えばコンクリートの成形ブロックであり、暖簾や遮光カーテン、シートなどの下端の押さえに使用可能な相当の重量を有する。万能ウエイト本体１は、底面３を設置面とし、上面２に円柱や角柱形状の凹部４を設けてその上面２からの立ち下がり部４１を面取り成形している。
【００２０】
凹部４には、中に取り付け部材５を固定するとともに凹部４から底面３又は側面まで貫通する貫通孔６を設けている。取り付け部材５は、図示のような丸いフック形のものだけでなく、逆三角形の把手形、フ字形やＴ字形、リング状その他の形状、中空パイプであってもよい。凹部４は、図示のように取り付け部材５の上端までの高さより大きい深さを有する。このような深さにすると、取り付け部材５の上端は、上面２より下方に位置することになり、取り付け部材５は上面２から突出しない。そのため、取り付け部材５が邪魔になることなく積み重ねて保管、陳列、箱に梱包することができ、スペースの無駄を減らすことができる。
【００２１】
本実施形態では、凹部４に貫通孔６を設けることにより、屋外に曝されても凹部４に雨水が溜まることなく、雨水が排水される。貫通孔６は、凹部４から下方の面まで貫通する排水孔であり、底面３が滑らかで設置面とのなじみがよく設置面から排水が流れだしにくいような場合には、底面３の貫通孔６からさらに横方向に排水溝を設けるようにしてもよい。
【００２２】
万能ウエイト本体１として、保管、陳列、箱に梱包の際により安定した状態で積み重ねのことができるようにした他の実施形態を示したのが図２および図３である。これらの実施形態は、上面２を底面３より小さくして底面３に上面２を含む頂部が嵌合する底面凹部７を設けたものである。
【００２３】
図２に示す実施形態は、段差８を設けて上面２を底面３より小さくし、段差８より上側の上面２を含む頂部が底面凹部７に嵌合するようにしたものである。貫通孔６は、凹部４から真下に底面凹部７まで貫通している。図２に示す実施形態は、底面凹部７の深さを段差８の上側になる頂部の高さより大きくしている。このようにすると、底面３が下側の万能ウエイト本体１′の段差に当接して積み重ねられるようになる。
【００２４】
逆に、底面凹部７の深さを段差８の上側になる頂部の高さより小さくしてもよい。このようにすると、底面凹部７が下側の万能ウエイト本体１′の上面に当接して積み重ねられるようになる。この場合、凹部４を浅くしても取り付け部材５の高さを維持できる底面凹部７の深さを確保することで、万能ウエイト本体１、１′を支障なく積み重ねることができる。このことから、底面凹部７の深さを取り付け部材５の高さより大きくしてもよい。このようにすると、取り付け部材５を固定する凹部４を上面２まで上げてなくしても、取り付け部材５を固定したままで万能ウエイト本体１を積み重ねることができる。したがっ
て、この場合の底面凹部７は、取り付け部材５を固定した下方の底面３で少なくとも取り付け部材５が入る形状、サイズでよい。
【００２５】
図３に示す実施形態は、傾斜部９を設けて上面２を底面３より小さくし、この上面２と傾斜部９の一部を含む頂部を底面凹部７に嵌合するようにしたものである。ここで、傾斜部９は、一様な傾斜になっているが、後述するように任意の形状を象った場合には任意の曲線になる。図２及び図３に示すように積み重ねた場合に底面凹部７と上面２とに隙間ができる場合には、その分取り付け部材５が突出しても積み重ねて保管、陳列、箱に梱包することができ、スペースの無駄を減らすことができる。
【００２６】
本実施形態において、万能ウエイト本体１は、成形ブロックを採用することにより、角柱形状、円柱形状だけでなく、上面に対し底面を大きくした台形（角錐形状、円錐形状）、その他、使用目的、使用場所に応じた種々の形状のものとすることができる。例えば動物類（蛙、熊、パンダ、犬、猫など）、鳥類（梟など）、植物類（カボチャその他の野菜、果物など）、昆虫類、小人、ダルマ、七福神、フィギュアその他の各種のキャラクタを象ったものとし、さらに色彩を施したものとすることができ、見栄えのよい質感のある置物としても使用することができる。
【００２７】
万能ウエイト本体１の上面２の凹部４に固定された取り付け部材５は、例えば暖簾や遮光カーテン、シートなどの下端（裾）に取り付けられた紐を縛り付け、或いは下端（裾）に取り付けられた取り付け孔の金具を引っ掛けるのに用いられる。また、ゴーヤやきゅうり、朝顔などのつる植物を窓を覆うように繁茂させ、夏の節電対策として緑のカーテンを形成するための紐を固定するのに用いられる。
【００２８】
上面２からの立ち下がり部４１の面取り成形は、紐などが擦れて破損し擦り切れるのを防ぐためであり、通常一定のＲ形状に成形されるが、任意の曲線や折れ線形状に加工、成形されたものであってもよい。勿論、立ち下がり部４１だけでなく、他の角部にも同様に面取り成形してもよい。
【００２９】
図４は本考案に係る万能ウエイトの取り付け部材の実施形態を説明する図、図５は本考案に係る万能ウエイトの取り付け部材の他の実施形態を説明する図である。図中、５１はフック部、５２、５４、５６はネジ部、５３は把手部、５５は中空パイプ、５７はボックスナット、５８はワッシャ（座金）、５９は棒状体を示す。
【００３０】
凹部４に固定される取り付け部材５のうち、代表的な２つの実施形態を示したのが図４であり、例えば図４（Ａ）にフック部５１とネジ部５２からなるフック形取り付け部材を、図４（Ｂ）に把手部５３とネジ部５４からなる把手形取り付け部材をそれぞれ示している。
【００３１】
フック形取り付け部材は、例えば暖簾や遮光カーテン、シートなどの下端（裾）に取り付けられた紐を縛り付け、或いは下端（裾）に取り付けられた取り付け孔の金具を引っ掛けることができる。把手形取り付け部材は、例えば暖簾や遮光カーテン、シートなどの下端（裾）に取り付けられた紐を縛り付け、或いは下端（裾）に取り付けられたフック金具を引っ掛けることができる。また、このような把手形取り付け部材は、ゴミ置き場のシートの端や漬け物の上板に載せたりするのに、持ちやすく取り扱いやすい重しとして用いることができる。
【００３２】
取り付け部材５は、凹部４の中に埋め込み固着されるが、種々の形態を用いることができるように、凹部４の中に埋め込み固着されたネジ穴部に螺着されるようにしてもよい。図５に示す実施形態は、凹部４にネジ穴部としてボックスナット５７を埋め込み固着して
、ワッシャ（座金）５８を挟んで取り付け部材５として、中空パイプ５７の先端のネジ部５８をボックスナット５７に螺着したものである。ここで、貫通孔６は、凹部４から側面に貫通させている。このような中空パイプ５７は、竿立てパイプとしてのぼりや旗などの棒状体（竿）５９を差し込むのに用いることができる。また、中空パイプ５７に花をさし万能ウエイト本体を花瓶としてもよいし、置物にしてもよい。取り付け部材５を螺着することなく、沓石として角柱形状の凹部４に束材を嵌め込むように用いてもよい。
【００３３】
このように凹部４にボックスナット５７を埋め込み固着すると、使用目的、使用場所に応じて種々の形状の取り付け部材５を着脱し、交換することができる。したがって、万能ウエイト１の形状、取り付け部材５の種類を選択し組み合わせることで、多様、多彩な活用に供することができる。
【００３４】
本考案は、上記実施の形態だけでなく、種々の変形が可能である。例えば上記実施の形態では、コンクリートブロックの万能ウエイトを説明したが、ウエイトとして使用できる程度の重さの素材であれば、コンクリートだけでなく、合成樹脂、鋳物、レンガ、セラミックなどでもよい。
【００３５】
コンクリートは勿論、鋳物や合成樹脂のような、容易に型成形ができる素材を用いると、上記実施形態に示した比較的単純な形状だけでなく、多様な形状のブロックの万能ウエイトを提供することができる。例えば使用目的、使用場所に応じて動物類、鳥類、植物類、昆虫類、小人、ダルマ、七福神、フィギュアその他の各種のキャラクタを象った成形ブロックにより、さらには色彩を施した万能ウエイトとすることにより、見栄えよく質感のある置物としても使用することができ、また、形状の選択、異なる形状のものを並べて、万能ウエイトを置物と兼ねて使用することもできる。
【符号の説明】
【００３６】
１、１′…万能ウエイト本体、２…上面、３…底面、４…凹部、５…取り付け部材、６…貫通孔、７…底面凹部、８…段差部、９…傾斜部、４１…立ち下がり部、５１…フック部、５２、５４、５６…ネジ部、５３…把手部、５５…中空パイプ、５７…ボックスナット、５８…ワッシャ（座金）、５９…棒状体。
【図１】
0003183234.tif 000003
【図２】
0003183234.tif 000004
【図３】
0003183234.tif 000005
【図４】
0003183234.tif 000006
【図５】
0003183234.tif 000007